(57)【要約】  第１無線装置は、以前に発見された第２無線装置に接続要求パケットを送信することによって、第２無線装置との関連付けを確立する。第２無線装置は、受信されたパケットを接続要求として識別し、接続応答パケットで応答し、それにより、第１無線装置と第２無線装置との間の関連付けを確立する。無線装置は、その後、例えば、データを送受信することができる。
2009545936.tif 000002
【特許請求の範囲】
【請求項１】
アドホックネットワーク内で第１無線装置を動作させる方法であって、
接続呼に応答して前記第１無線装置の無線をオンにするステップと、
前記第１無線装置から第２無線装置へ接続要求パケットを送信するステップと、
タイムアウト期間内に接続応答パケットが前記第１無線装置によって前記第２無線装置から受信される場合、前記第２無線装置に対する接続を確立するステップと、
前記タイムアウト期間内に接続応答パケットが前記第１無線装置によって前記第２無線装置から受信されない場合、接続失敗を指示するステップと
を含む方法。
【請求項２】
前記第１無線装置が、前記第２無線装置から接続要求パケットを受信するステップと、
前記接続要求パケットが前記第１無線装置によって有効接続要求として識別される場合、接続応答パケットを前記第２無線装置に送信し、確立された接続を記録するステップと、
前記接続要求パケットが前記第１無線装置によって有効接続要求として識別されない場合、現状に留まるステップと
を更に含む、請求項１に記載の方法。
【請求項３】
前記第１無線装置が、前記第２無線装置から接続応答パケットを受信する前に、前記第２無線装置から接続要求パケットを受信するステップと、
前記第２無線装置の前記ネットワークアドレスが、前記第１無線装置のネットワークアドレスに関して基準を満たす場合、前記第１無線装置が、前記第２無線装置に接続応答パケットを送信し、前記第１無線装置自身の接続要求を取り消すステップと、
前記第２無線装置の前記ネットワークアドレスが、前記第１無線装置の前記ネットワークアドレスに関して前記基準を満たさない場合、前記第１無線装置が、前記第２無線装置からの前記受信された接続要求を無視するステップと
を更に含む、請求項１に記載の方法。
【請求項４】
前記接続呼に応答して前記無線をアドホックネットワークチャネルに切り換えるステップを更に含む、請求項１に記載の方法。
【請求項５】
関連付けされた無線装置からのパケットを監視するステップと、
所定時間にわたって、前記関連付けされた無線装置からパケットが受信されない場合、前記関連付けされた無線装置から関連付け解除するステップと、
そうでなければ、前記関連付けされた無線装置との関連付けを継続するステップと
を更に含む、請求項１に記載の方法。
【請求項６】
開放呼に応答して前記第１無線装置から前記第２無線装置へ開放要求パケットを送信するステップと、
接続済み装置リストから前記第２無線装置を除去するステップと
を更に含む、請求項１に記載の方法。
【請求項７】
前記第１無線装置が、前記第２無線装置から開放要求パケットを受信するステップと、
前記開放要求パケットが前記第１無線装置によって識別される場合、接続済み装置リストから前記第２無線装置を除去するステップと、
前記開放要求パケットが前記第１無線装置によって識別されない場合、前記開放要求パケットを無視するステップと
を更に含む、請求項１に記載の方法。
【請求項８】
アドホックネットワーク内で第１無線装置を動作させる方法であって、
前記第１無線装置が、前記第２無線装置から接続要求パケットを受信するステップと、
前記接続要求パケットが前記第１無線装置によって有効接続要求として識別される場合、接続応答パケットを前記第２無線装置に送信し、確立された接続を記録するステップと、
前記接続要求パケットが前記第１無線装置によって有効接続要求として識別されない場合、現状に留まるステップと
を含む方法。
【請求項９】
直接プローブ要求パケットを、前記接続要求を記述する特別な情報要素に適合させることによって、前記接続要求パケットを識別するステップを更に含む、請求項８に記載の方法。
【請求項１０】
前記接続要求パケットを所定のパケットパターンに適合させることによって前記接続要求パケットを識別するステップを更に含む、請求項８に記載の方法。
【請求項１１】
前記第１無線装置が、前記第２無線装置へ接続要求パケットを送信するステップと、
前記第１無線装置が、前記第２無線装置から接続応答パケットを受信する前に、前記第２無線装置から接続要求パケットを受信するステップと、
前記第２無線装置のネットワークアドレスが、前記第１無線装置のネットワークアドレスに関して基準を満たす場合、前記第１無線装置が、前記第２無線装置に接続応答パケットを送信し、前記第１無線装置自身の接続要求を取り消すステップと、
前記第２無線装置のネットワークアドレスが、前記第１無線装置のネットワークアドレスに関して前記基準を満たさない場合、前記第１無線装置が、前記第２無線装置からの前記受信された接続要求を無視するステップと
を更に含む、請求項８に記載の方法。
【請求項１２】
関連付けされた無線装置からのパケットを監視するステップと、
所定時間にわたって前記関連付けされた無線装置からパケットが受信されない場合、前記関連付けされた無線装置との関連付けを解除するステップと、
そうでなければ、前記関連付けされた無線装置との関連付けを継続するステップと
を更に含む、請求項８に記載の方法。
【請求項１３】
開放呼に応答して前記第１無線装置から前記第２無線装置へ開放要求パケットを送信するステップと、
接続済み装置リストから前記第２無線装置を除去するステップと
を更に含む、請求項８に記載の方法。
【請求項１４】
前記第１無線装置が、前記第２無線装置から開放要求パケットを受信するステップと、
前記開放要求パケットが前記第１無線装置によって識別される場合、接続済み装置リストから前記第２無線装置を除去するステップと、
前記開放要求パケットが前記第１無線装置によって識別されない場合、前記開放要求パケットを無視するステップと
を更に含む、請求項８に記載の方法。
【請求項１５】
コンピューティング装置と、
無線機と、
前記コンピューティング装置及び前記無線機に論理的に接続された無線モジュールと
を備え、前記無線モジュールは、
接続呼に応答して前記無線をオンにする命令、
第２無線装置へ接続要求パケットを送信する命令、
タイムアウト期間内に接続応答パケットが前記第２無線装置から受信される場合、前記第２無線装置に対する接続を確立する命令、及び、
前記タイムアウト期間内に接続応答パケットが前記第２無線装置から受信されない場合、接続失敗を指示する命令
をプログラムされたプロセッサを備える無線装置。
【請求項１６】
前記命令は、
前記無線装置が、第２無線装置から接続要求パケットを受信する命令、
前記接続要求パケットが前記無線装置によって有効接続要求として識別される場合、接続応答パケットを前記第２無線装置に送信し、確立された接続を記録する命令、及び、
前記接続要求パケットが前記無線装置によって有効接続要求として識別されない場合、現状に留まる命令
を更に含む、請求項１５に記載の無線装置。
【請求項１７】
前記命令は、
前記無線装置が、前記第２無線装置から接続応答パケットを受信する前に、前記第２無線装置から接続要求パケットを受信する命令、
前記第２無線装置の前記ネットワークアドレスが、前記無線装置のネットワークアドレスに関して基準を満たす場合、前記無線装置が、前記第２無線装置に接続応答パケットを送信し、前記無線装置自身の接続要求を取り消す命令、及び、
前記第２無線装置のネットワークアドレスが、前記無線装置のネットワークアドレスに関して前記基準を満たさない場合、前記無線装置が、前記第２無線装置からの前記受信された接続要求を無視する命令
を更に含む、請求項１５に記載の無線装置。
【請求項１８】
前記命令は、直接プローブ要求パケットを、前記接続要求を記述する特別な情報要素に適合させることによって、前記接続要求パケットを識別する命令を更に含む、請求項１５に記載の無線装置。
【請求項１９】
前記命令は、前記接続要求パケットを所定のパケットパターンに適合させることによって前記接続要求パケットを識別する命令を更に含む、請求項１５に記載の無線装置。
【請求項２０】
前記命令は、
関連付けされた無線装置からのパケットを監視する命令、
所定時間にわたって前記関連付けされた無線装置からパケットが受信されない場合、前記関連付けされた無線装置から関連付け解除する命令、
そうでなければ、前記関連付けされた無線装置との関連付けを継続する命令
を更に含む、請求項１５に記載の無線装置。
【発明の詳細な説明】
【技術分野】
【０００１】
本発明は、無線ネットワークに関し、より詳細には、互いに近接している無線装置のアドホックネットワークに関する。
【背景技術】
【０００２】
典型的な無線ネットワークにおいては、１つ又は複数の無線装置は、有線ネットワークに接続されてもよい共通の無線アクセスポイントに関連付けされる。無線装置間の通信はアクセスポイントを介して行われる。こうした動作はインフラストラクチャー動作モードとして知られる。
【発明の概要】
【発明が解決しようとする課題】
【０００３】
無線ローカルエリアネットワーク（ＬＡＮ）についてＩＥＥＥ８０２．１１は、無線アクセスポイント又は有線ネットワークを使用することなく、無線装置が相互に直接通信するアドホック動作モードを提供する。しかし、無線装置のアドホックネットワークを動作させるために、無線装置は、近接する他の無線ネットワーク装置に関連付けされる又は接続されるためのメカニズムを必要とする。こうしたメカニズムは、低電力消費であるべきであり、制限された無線干渉を生じるべきであり、高いスループットを有するべきである。
【課題を解決するための手段】
【０００４】
本発明は、アドホックネットワーク内で無線装置間の関連付けを確立する方法及び装置を提供する。第１無線装置は、以前に発見された第２無線装置に接続要求パケットを送信することによって、第２無線装置との関連付けを確立する。第２無線装置は、受信されたパケットを接続要求として識別し、接続応答パケットで応答し、それにより、第１無線装置と第２無線装置との間の関連付けを確立する。無線装置は、その後、例えば、データを送受信することができる。
【０００５】
本発明は、また、無線装置間の関連付けを終了させる方法及びアドホックネットワークから開放する方法を提供する。本発明は、更に、２つの無線装置が接続要求を互いに同時に送信する場合を扱う方法を提供する。この場合、大きいネットワークアドレスを有する無線装置の接続要求が処理され、小さいネットワークアドレスを有する無線装置の接続要求は取り消される。理解されるように、小さなネットワークアドレスを有する無線装置の接続要求が処理され、大きなネットワークアドレスを有する無線装置の接続要求が取り消されるように、基準が逆にされることができる。
【０００６】
本発明の第１の態様によれば、アドホックネットワーク内で無線装置を動作させる方法が提供される。方法は、接続呼に応答して第１無線装置の無線機をオンにするステップと、第１無線装置から第２無線装置へ接続要求パケットを送信するステップと、タイムアウト期間内に接続応答パケットが第２無線装置から第１無線装置によって受信される場合、第２無線装置に対する接続を確立するステップと、タイムアウト期間内に接続応答パケットが第１無線装置によって第２無線装置から受信されない場合、接続失敗を指示するステップとを含む。
【０００７】
本発明の第２の態様によれば、アドホックネットワーク内で無線装置を動作させる方法が提供される。方法は、第１無線装置が第２無線装置から接続要求パケットを受信するステップと、接続要求パケットが第１無線装置によって有効接続要求として識別される場合、接続応答パケットを第２無線装置に送信し、確立された接続を記録するステップと、接続要求パケットが第１無線装置によって有効接続要求として識別されない場合、現状に留まるステップとを含む。
【０００８】
本発明の第３の態様によれば、無線装置は、コンピューティング装置と、無線機と、コンピューティング装置及び無線機に論理的に接続された無線モジュールとを備え、無線モジュールは、接続呼に応答して無線機をオンにする命令、第２無線装置へ接続要求パケットを送信する命令、タイムアウト期間内に接続応答パケットが第２無線装置から受信される場合、第２無線装置に対する接続を確立する命令、及び、タイムアウト期間内に接続応答パケットが第２無線装置から受信されない場合、接続失敗を指示する命令をプログラムされたプロセッサを備える。
【図面の簡単な説明】
【０００９】
【図１】アドホック無線ネットワークの概略ブロック図である。
【図２】アドホック無線ネットワークを形成するのに適した無線装置の概略ブロック図である。
【図３】第２無線装置に対する接続を確立するために第１無線装置によって実施される動作のフローチャートである。
【図４】第１無線装置に対する接続を確立するために第２無線装置によって実施される動作のフローチャートである。
【図５】同時の接続要求が２つの無線装置によって送信されるときの、無線装置によって実施される動作のフローチャートである。
【図６】第２無線装置に対する接続を終了するために第１無線装置によって実施される動作のフローチャートである。
【図７】第１無線装置に対する接続を終了するために第２無線装置によって実施される動作のフローチャートである。
【発明を実施するための形態】
【００１０】
本発明の実施の形態は、無線装置がアドホックネットワーク内で別の無線装置との関連付け又は接続を確立するためのメカニズムを提供する。本発明の更なる実施の形態は、無線装置間の関連付けを終了させるメカニズム及び無線装置がアドホックネットワークから開放される方法を提供する。
【００１１】
これらのメカニズムは無線装置内のソフトウェアを含む。メカニズムは、また、無線装置のハードウェア及び／又はファームウェアで実施されることができる。これにより、これらのメカニズムを有する無線装置は通信し、アドホック無線ネットワークを形成することができる。アドホックネットワーク内での無線装置間の通信は、これらのメカニズムをサポートしない他の無線装置に影響を全く及ぼさない。
【００１２】
無線アドホックネットワーク１０の例は図１に示される。無線装置１２、１４、１６は無線リンクによって互いに通信する。無線装置は、以下に述べるメカニズムを使用して通信する。各無線装置は、アドホックネットワーク内の少なくとも１つの他の無線装置の無線範囲内にあると仮定される。理解されるように、アドホックネットワーク内の全ての無線装置が無線範囲内にある必要はない。例えば、無線装置１４、１６は無線装置１２と直接通信することができるが、互いに直接通信することができなくてもよい。例に過ぎないが、無線装置１２、１４、１６は、ラップトップコンピューター、携帯電話、移動体データ装置、携帯メディアプレーヤー装置、ホームステレオ、ワイヤレススピーカー、又は、後述する互換性のあるプロトコルを利用する装置の組合せであってよい。
【００１３】
アドホックネットワーク内の通信に関与するコンポーネントを含む無線装置２００の概略ブロック図が図２に示される。無線装置２００は、図１に示される無線装置１２、１４、１６に相当し得る。上位層の装置２１０は、ディスプレイ、キーパッド又はキーボード、ポインティング装置、記憶ユニット（ディスクユニット又はフラッシュメモリーなど）などの、無線装置内に存在する周辺コンポーネント、ならびに、装置の任意の他の周辺コンポーネントにインタフェースする。装置ＣＰＵ２１０は、装置オペレーティングシステム２１２及び無線ドライバー２１４を含む。無線ドライバー２１４は、無線モジュールソフトウェア２２２を含む第２層の無線モジュールＣＰＵ２２０と通信する。無線モジュールソフトウェア２２２は、アンテナを介してＲＦ信号を送受信する無線機と通信する下位の層無線ＲＦインタフェース２３０とインタフェースする。
【００１４】
無線装置２００は、手持ち式でかつ移動型又は固定型であってよい種々の異なる装置であってもよい。無線装置の例は、ラップトップコンピューター、デスクトップコンピューター、移動体データ装置、携帯電話、ステレオシステム及びワイヤレススピーカーを含むが、それに限定されない。
【００１５】
他の無線装置との関連付けを確立するときの各無線装置の動作を以下に述べる。動作はＩＥＥＥ８０２．１１標準に関連して述べられる。しかし、本発明は８０２．１１標準に限定されるものではなく、また、ウルトラワイドバンド及びウィネット（ＷｉＮｅｔ）などの他の無線プロトコルに関連して利用され得る。理解されるとおり、以下で述べられる動作は実施の形態に過ぎず、本発明の範囲に関して限定的ではない。
【００１６】
以下に述べる関連付けを確立する前に、各無線装置は、アドホックネットワーク内の他の無線装置を発見する。無線装置を発見する好ましい技法は、先に参照した関連アプリケーションに述べられる。しかし、他の発見技法が利用されてもよい。関連付けが確立された後、関連付けられた無線装置によってデータが送受信され得る。
【００１７】
アドホックネットワーク内での無線装置との関連付けの確立
第１無線装置が、アドホックネットワーク内で第２無線装置との関連付けを確立するために実施される動作のフローチャートは図３に示される。
【００１８】
無線装置は、アドホックネットワーク内で別の無線装置との関連付けを確立することを決定する場合、関連付け要求者となり、以下のことを行う。
１）以下のセッティング、すなわち、
（アドホックネットワークの）チャネル数又は周波数、
（関連付けされるターゲットアドホックネットワークの）所望のＳＳＩＤ、
（関連付けされるターゲットアドホックネットワークの）所望のＢＳＳＩＤ、
（関連付けされるターゲット装置の）Ｍａｃアドレス
を設定する。
【００１９】
２）ステップ３００にて、無線サービスは無線モジュールに接続呼を発する。
（上で構成されたＭａｃアドレス及びＢＳＳＩＤ／ＳＳＩＤを有するアドホックネットワーク内の装置に関連付けるよう）接続する
３）上位層から接続呼を受信すると、無線モジュールは以下を行う。
【００２０】
ステップ３０２にて、アドホックネットワークは、チャネル／周波数が異なる場合、それに関して動作するチャネル又は周波数にチャネル又は周波数を切り換える。
ステップ３０４にて、接続要求パケットを送信する。接続要求パケットは、以下の情報を含み得る。
【００２１】
受信機アドレス：ターゲット装置のＭＡＣアドレス
ＢＳＳＩＤ：アドホックネットワークのＢＳＳＩＤ
ＢＳＳ形式：アドホック
ＳＳＩＤ：（オプション）
特別なＩＥ：（オプション）
動作形式−仮想関連付け要求
サポートされるデータレートなどの他のオプションの構成及び能力情報。
【００２２】
無線装置は、パケットフォーマット及びコンテンツが無線装置によって承認され且つ理解されるならば、ユニキャストプローブ要求パケット又は認証パケットを使用して接続要求情報を伝達することができるが、これに限定されない。
【００２３】
４）接続要求パケットを送信した後、ステップ３０６にて、無線モジュールは接続応答パケットを待つ。
無線装置は、アドホックネットワーク内で関連付けが確立されるために接続応答パケットが使用されることを識別する必要がある。無線装置は、異なる方法でそれを行うことができる。ただし、その方法は、関連付けプロセスに関わる装置によって相互に承認されるものとする。以下は幾つかの例である。
【００２４】
ａ．直接プローブ応答パケットを、接続応答の意図を指定する特別なＩＥ（情報要素）に適合させる。パケットは、以下の情報を有することができる。
パケット形式：直接（ユニキャスト）プローブ応答パケット
受信機アドレス：関連付け要求者のＭＡＣアドレスに適合
ＢＳＳＩＤ：アドホックネットワークのＢＳＳＩＤに適合
ＢＳＳタイプ：アドホック
特別なＩＥ：
動作形式：仮想関連付け要求
仮想関連付けステータス：ＩＥＥＥ８０２．１１ステータスコード
サポートされるデータレートなどの他のオプションの構成及び能力情報。
【００２５】
ｂ．接続応答パケットを、無線装置によって承認され且つ理解されるパケットパターンに適合させる。このパケットを受信することは、関連付け応答者からの関連付け要求の受容を意味する。例えば、適合されるパケットパターンは、
パケット形式：直接（ユニキャスト）認証パケット
受信機アドレス：関連付け要求者のＭＡＣアドレスに適合
ＢＳＳＩＤ：アドホックネットワークのＢＳＳＩＤに適合
ＢＳＳ形式：アドホック
ＳＳＩＤ：アドホックネットワークのＳＳＩＤに適合
特別なＩＥ：（オプション）
サポートされるデータレートなどの構成及び能力情報
であることができる。
【００２６】
５）ステップ３０８にて、無線モジュールは、ステップ３１２にてタイムアウト値が終了するまで、こうした接続応答パケットを待つ。このタイムアウト値はデフォルト値を有することができ、構成可能である。接続応答パケットが受信され、接続が成功である場合、ステップ３１０にて、無線モジュールはその内部状態を更新し、ターゲット無線装置に関連付けられる。
【００２７】
これが、無線モジュールが関連付けられる最初の装置である場合、無線モジュールはメディア接続イベントをネットワークスタックに指示する。
無線モジュールは、任意選択で、ポートアップ（ｐｏｒｔ  ｕｐ）イベントなどの通知をネットワークスタックに送信することによって、新しい関連付けがピア装置に関して確立されたことを指示することができる。
【００２８】
６）ステップ３０８にて接続応答パケットが受信されず、ステップ３１２にてタイムアウトが終了する場合、ステップ３１４にて、接続は成功でなく、無線モジュールはその元の状態に留まる。
【００２９】
第１無線装置による接続要求に応答して第２無線装置によって実施される動作のフローチャートは図４に示される。
ステップ４００にて、アドホックネットワーク内の無線装置は、別の無線装置（関連付け要求者）からユニキャスト接続要求パケットを受信する場合、関連付け応答者となり、以下のことを行う。
【００３０】
１）アドホックネットワーク内で関連付けを確立するために接続要求パケットが受信されることを識別する。無線装置は、それを種々の方法で行うことができるが、その方法は、関連付けプロセスに関わる装置によって相互に承認されるものとする。以下は幾つかの例である。
【００３１】
ａ．直接プローブ応答パケットを、接続要求の意図を指定する特別なＩＥに適合させる。特別なＩＥのフォーマットは無線装置によって理解されるものであり、以下の情報を有することができる。
【００３２】
パケット形式：直接（ユニキャスト）プローブ要求パケット
受信機アドレス：関連付け要求者のＭＡＣアドレスに適合
ＢＳＳＩＤ：アドホックネットワークのＢＳＳＩＤに適合
ＢＳＳ形式：アドホック
特別なＩＥ：
動作タイプ：仮想関連付け要求
サポートされるデータレートなどの他のオプションの構成及び能力情報。
【００３３】
ｂ．接続要求パケットを、無線装置によって承認され且つ理解されるパケットパターンに適合させる。このパケットを受信することは、関連付け要求者からの関連付け要求を意味する。例えば、適合されるパケットパターンは、
パケット形式：直接（ユニキャスト）認証要求
受信機アドレス：関連付け応答者のＭＡＣアドレスに適合
ＢＳＳＩＤ：アドホックネットワークのＢＳＳＩＤに適合
ＢＳＳ形式：アドホック
ＳＳＩＤ：アドホックネットワークのＳＳＩＤに適合
特別なＩＥ：（オプション）
サポートされるデータレートなどの構成及び能力情報
であることができる。
【００３４】
２）無線モジュールは、ステップ４０２にて、関連付けを受け入れるかどうかを判定し、ステップ４０６にて接続応答パケットを送信する。接続応答パケットは、以下の情報を含み得る。
【００３５】
受信機アドレス：関連付け開始者のＭＡＣアドレス
ＢＳＳＩＤ：アドホックネットワークのＢＳＳＩＤ
ＢＳＳ形式：アドホック
ＳＳＩＤ：（オプション）
特別なＩＥ：（オプション）
動作形式：仮想関連付け応答
仮想関連付けステータス：ＩＥＥＥ８０２．１１ステータスコード
サポートされるデータレートなどの他のオプションの構成及び能力情報。
【００３６】
無線装置は、パケットフォーマット及びコンテンツが無線装置によって承認され且つ理解されるならば、ユニキャストプローブ応答パケット又は認証パケットを使用して、接続応答情報を伝達することができるが、これに限定されない。
【００３７】
３）関連付けが受け入れられる場合、関連付け応答者は以下のことを行う。
関連付け要求者が、無線装置に関連付けられる最初の関連付け要求者である場合、ステップ４０８にて、無線モジュールは、メディア接続イベントをネットワークスタックに指示する。
【００３８】
無線モジュールは、任意選択で、ポートアップイベントなどの通知をネットワークスタックに送信することによって、新しい加入者が関連付けを確立したことを指示することができる。
【００３９】
４）そうでなければ、ステップ４０２にて関連付けが受け入れられないので、ステップ４０４にて、関連付け応答者は元の状態に留まる。
両方の無線装置が同じアドホックネットワーク内にあり、メディア接続及び／又はポートアップをネットワークスタックに指示する場合、無線接続が確立される。無線装置は、ピア装置へデータパケットを送信し、又はピア装置からデータパケットを受信することができる。
【００４０】
アドホックネットワーク内での２つの無線装置間の同時関連付け要求の扱い
２つの無線装置が互いに対して同時に接続要求を送信するときの、第１無線装置によって実施される動作のフローチャートが図５に示される。
【００４１】
２つの無線装置Ａ、Ｂが互いに対して同時に接続要求を送信し、他の無線装置からの接続応答を待つことが可能である。この場合、２つの無線装置は、互いに関する２つの関連付けを確立することを回避してもよい。ステップ５００にて、装置（Ａ）は別の装置（Ｂ）に接続要求を送信し、ステップ５０２にて、装置Ａは、タイムアウト内に装置Ｂから接続応答を受信する前に、装置Ｂから接続要求を受信すると、装置Ａは以下を行う。
【００４２】
１）ステップ５０４にて、装置ＢのＭＡＣアドレスの値が装置ＡのＭＡＣアドレスの値より小さい場合、ステップ５０６にて、装置ＡはＢの接続要求を無視する。
２）ステップ５０４にて、装置ＢのＭＡＣアドレスの値が装置ＡのＭＡＣアドレスの値より大きい場合、ステップ５０８にて、装置Ａは、接続応答を送信することによって装置Ｂの接続要求に応答する。一方、装置Ａは、装置Ａが装置Ｂに送信した接続要求についての自身の状態及び動作を取り消す。
【００４３】
理解されるように、より小さなネットワークアドレスを有する無線装置の接続要求が処理され、より大きなネットワークアドレスを有する無線装置の接続要求が取り消されるように、基準が逆にされ得る。
【００４４】
関連付けの監視
無線装置は、関連付けされた無線装置のリストを内部で維持しても、また、関連付けされたピア装置からのパケットを監視してもよい。無線装置は、或る期間にわたってアドホックネットワーク内の関連付けされた無線装置のからｉｎ−ＩＢＳＳパケットを全く受信しない場合、この装置との関連付けを解除してもよい。
【００４５】
パケットは、アドホックネットワークによって使用されるＢＳＳＩＤに適合するＢＳＳＩＤを有する場合にのみ、ｉｎ−ＩＢＳＳであるとみなされる。
アドホックネットワーク内での無線装置との関連付けの終了
別の無線装置との関連付けを終了させるために無線装置によって実施される動作のフローチャートが図６に示される。
【００４６】
無線装置が、アドホックネットワーク内での別の装置との関連付けを終了させることを決定する場合、以下のことを行う。
１）以下のセッティング、すなわち、
（関連付けを解除するターゲットアドホックネットワークの）所望のＳＳＩＤ
（関連付けを解除するターゲットアドホックネットワークの）所望のＢＳＳＩＤ、
（関連付けを解除するターゲット装置の）Ｍａｃアドレス
を設定する。
【００４７】
２）ステップ６００にて、開放呼を無線モジュールに発する。
（先に構成されたＭａｃアドレス及びＢＳＳＩＤ／ＳＳＩＤを有するアドホックネットワーク内の装置との関連付けを解除するために）開放する
３）開放呼を受信すると、すなわち、無線モジュールが、上述のエージング機能によって別の無線装置との関連付けを解除することを決定すると、無線モジュールは以下のことを行う。
【００４８】
当該装置について、関連付けされた無線装置の内部リストを探索する。
関連付けされた装置を見出すことができない場合、適切なエラーを返送する。
そうでなければ、ステップ６０２にて、開放要求パケットを送信する。開放要求パケットは以下の情報を含み得る。
【００４９】
受信機アドレス：ターゲット装置のＭＡＣアドレス
ＢＳＳＩＤ：アドホックネットワークのＢＳＳＩＤ
ＢＳＳ形式：アドホック
ＳＳＩＤ：（オプション）
特別なＩＥ：（オプション）
動作形式――仮想関連付け要求
サポートされるデータレートなどの他のオプションの構成及び能力情報。
【００５０】
無線装置は、パケットフォーマット及びコンテンツが無線装置によって承認され且つ理解されるならば、ユニキャストプローブ要求パケット又は認証解除パケットを使用して、開放要求情報を伝達することができるが、これに限定されない。
【００５１】
４）開放要求パケットを送信した後、ステップ６０４にて、無線モジュールは、その関連付けされた装置のリストから該装置を即座に除去することができる。無線装置は、関連付けが解除された無線装置へデータパケットを送信することを停止し、その装置から受信したデータパケットを廃棄する。
【００５２】
関連付けが解除された装置が、関連付けされた装置リスト内の最後の装置である場合、無線装置は、メディア開放イベントをネットワークスタックに指示し、アドホックネットワークから出たものとみなす。
【００５３】
無線装置は、任意選択で、ポートダウンイベントなどの通知をネットワークスタックに送信することによって、ピア装置との関連付けが除去されたことを指示することができる。
【００５４】
開放要求を受信することに応答して無線装置によって実施される動作のフローチャートが図７に示される。
アドホックネットワーク内の無線装置は、ステップ７００にて、別の無線装置からユニキャスト開放要求パケットを受信する場合、以下のことを行う。
【００５５】
１）ステップ７０２にて、無線装置は、アドホックネットワーク内での関連付けを終了させるのに使用される開放要求パケットを識別する必要がある。無線装置は、種々の方法でそれを行うことができるが、その方法は、関連付けプロセスに関わる装置によって相互に承認され且つ理解されるものとする。以下は幾つかの例である。
【００５６】
ａ．開放要求の意図を特定するために、直接プローブ要求パケット内の特別なＩＥに適合させる。特別なＩＥのフォーマットは、無線装置によって理解され且つ以下の情報を有することができる。
【００５７】
パケット形式：直接（ユニキャスト）プローブ要求パケット
受信機アドレス：関連付け要求者のＭＡＣアドレスに適合
ＢＳＳＩＤ：アドホックネットワークのＢＳＳＩＤに適合
ＢＳＳタイプ：アドホック
特別なＩＥ：
動作形式：仮想関連付け要求。
【００５８】
ｂ．接続要求パケットを、無線装置によって承認され且つ理解されるパケットパターンに適合させる。このパケットを受信することは、関連付け解除要求を意味する。例えば、適合されるパケットパターンは、
パケット形式：直接（ユニキャスト）認証解除要求
受信機アドレス：関連付け応答者のＭＡＣアドレスに適合
ＢＳＳＩＤ：アドホックネットワークのＢＳＳＩＤに適合
ＢＳＳ形式：アドホック
ＳＳＩＤ：アドホックネットワークのＳＳＩＤに適合
であることができる。
【００５９】
２）開放要求パケットを受信した後、無線装置は以下のことを行う。
当該装置について、関連付けされた無線装置の内部リストを探索する。
関連付けされた装置を見出すことができない場合、ステップ７０４にて、開放要求パケットを無視する。
【００６０】
そうでなければ、ステップ７０６にて、無線装置は、関連付けされた装置リストから該装置を即座に除去することができる。無線装置は、関連付けが解除された無線装置へデータパケットを送信することを停止し、その装置から受信したデータパケットを廃棄する。
【００６１】
関連付けが解除された装置が、関連付けされた装置リスト内の最後の装置である場合、無線装置は、メディア開放イベントをネットワークスタックに指示し、アドホックネットワークから出たものとみなす。
【００６２】
無線装置は、任意選択で、ポートダウンイベントなどの通知をネットワークスタックに送信することによって、ピア装置との関連付けが除去されたことを指示することができる。
【００６３】
アドホックネットワークからの開放
無線装置は、アドホックネットワークから出ることを決定する場合、以下を行う。
１）開放呼を無線モジュールに発する
２）上位層から開放呼を受信した後、無線モジュールは、アドホックネットワークから出るために以下のことを行う。
【００６４】
メディア開放イベントをネットワークスタックに指示する。
アドホックネットワーク内の装置に対してデータパケットを送信することを停止し、アドホックネットワーク内の装置から受信したデータパケットを廃棄する。
【００６５】
関連付けされた無線装置の内部リストをクリーンアップする。
他の内部状態をクリーンアップする。
特別な情報要素
情報要素（ＩＥ）は、変数（長さ情報）を運ぶのに使用される形式−長さ−値オブジェクトである。無線装置は、任意選択で、関連付けを管理する情報を運ぶために特別な情報要素に依存することができる。
【００６６】
特別なＩＥは、自分自身を識別するために、一意のＯＵＩとＯＵＩ形式との組合せを有する、一意のＩＥ  ＩＤ又はカスタマーＩＥ  ＩＤ（例えば、ＩＥＥＥ８０２．１１標準によって規定される値２２１）を使用することができる。
【００６７】
【表１】
2009545936.tif 000003
【００６８】
特別な情報要素は、関連付けを管理するための以下の情報を含むことができる。
動作形式
−仮想関連付け要求
−仮想関連付け応答
−仮想関連付け解除要求
他の情報（オプション）
−データレート
−能力情報。
【００６９】
上記説明は、パケットパラメータなどの種々のパラメータについての値の例を提供する。こうした値は例としてのみ示され、理解されるとおり、本発明の範囲に関して限定的ではない。
【００７０】
本発明の少なくとも１つの実施の形態の幾つかの態様を述べてきたが、理解されるように、当業者は種々の変更、修正及び改良を容易に想起することができる。こうした変更、修正及び改良は本開示の一部にあり、本発明の精神及び範囲内にあるものとする。したがって、先の説明及び図面は例に過ぎない。
【図１】
2009545936.tif 000004
【図２】
2009545936.tif 000005
【図３】
2009545936.tif 000006
【図４】
2009545936.tif 000007
【図５】
2009545936.tif 000008
【図６】
2009545936.tif 000009
【図７】
2009545936.tif 000010
【国際調査報告】
2009545936.tif 000011
2009545936.tif 000012